(57)【要約】  【課題】袋に物品名が表示された収納物表示袋において、収納しうる物品が一種類に限定されず、一つの袋で収納する物品を適宜に選択できる収納物表示袋であって、尚且つ、袋を使用する者が物品名を書き込んだり、ラベル等を添付したりする必要がない袋を提供することを課題とする。  【解決手段】袋本体の一端両側に手提げ用の持ち手及び袋本体と一体的にフラップが形成された袋であって、該フラップを袋本体から切り離し可能にすると共にフラップに物品名を表示し、必要に応じ袋本体にも物品名を表示する。  【選択図】  図２
0003135268.tif 000002
【実用新案登録請求の範囲】
【請求項１】
連続筒状フィルムを扁平にして移送しつつ所定の間隔でシールし、該連続筒状フィルムをシール部で切断すると共に中央部を切り欠くことにより、袋本体の一端両側に手提げ用の持ち手及び袋本体と一体的にフラップが形成された袋であって、該フラップを袋本体から切り離し可能にすると共にフラップに物品名を表示し、必要に応じ袋本体にも物品名を表示したことを特徴とする収納物表示袋。
【請求項２】
前記フラップが前記袋本体上部及び底部に形成されたことを特徴とする請求項1記載の収納物表示袋。
【請求項３】
袋に収納される物品がゴミであり、物品名として分別ゴミ名を表示したことを特徴とする請求項1又は請求項２記載の収納物表示袋。
【請求項４】
前記連続筒状フィルムが合成樹脂フィルムからなることを特徴とする請求項1、請求項２または請求項３に記載の収納物表示袋。
【請求項５】
前記袋が両側にマチ部が形成された袋であることを特徴とする請求項1、請求項２、請求項3または請求項４に記載の収納物表示袋。
【考案の詳細な説明】
【技術分野】
【０００１】
本考案は、袋に物品名が表示された収納物表示袋に関する。詳しくは、袋に物品を入れて開口部を封鎖した後であっても、袋を開封することなく収納物を知ることのできる収納物表示袋に関する。
【背景技術】
【０００２】
従来、表面に物品名を表示した袋が知られている。例えば特許文献１には、袋の表面に「もえるゴミ袋」、「もえないゴミ袋」との表示があり、使用者が表示通りに中味を投入すれば、袋の中味をいちいち確認しなくても袋の表示を見て収納物を認識することができる袋が記載されている。また、特許文献２によると、袋を色分けすると共にゴミの種類を文字や図あるいは記号等を用いて表示し、分別された収納物を容易に判断できるようにしている。しかしながらこれらの袋はゴミの種類があらかじめ表示されており、ゴミを分別する際はそれぞれ別の袋に収納する必要があり、分別するゴミの種類に応じた複数種のゴミ袋を持つ必要があった。
【０００３】
また特許文献３に表示された包装用袋は、小袋部に収納物の情報を示す表示部を有しており、物品を袋に入れた後に表示部に必要な情報を書き込むため、収納物に合わせた表示を行うことができる。しかしながら、書き込むためにはボールペンや油性ペンといった筆記具が必要あり、また書き込みを行う作業は手間でもある。
【０００４】
【特許文献１】実開平８−１１７６号公報
【特許文献２】実用新案登録３０７７５８２号公報
【特許文献３】実用新案登録４１２９０６４号公報
【考案の開示】
【考案が解決しようとする課題】
【０００５】
本考案が解決しようとする課題は、以上のような各従来技術の問題を解決し、袋に物品名が表示された収納物表示袋において、収納しうる物品が一種類に限定されず、一つの袋で収納する物品を適宜に選択できる収納物表示袋であって、尚且つ、袋を使用する者が物品名を書き込んだり、ラベル等を添付したりする必要がない袋を提供することである。
【課題を解決するための手段】
【０００６】
本考案によると、連続筒状フィルムを扁平にして移送しつつ所定の間隔でシールし、該連続筒状フィルムをシール部で切断すると共に中央部を切り欠くことにより、袋本体の一端両側に手提げ用の持ち手及び袋本体と一体的にフラップが形成された袋であって、該フラップを袋本体から切り離し可能にすると共にフラップに物品名を表示し、必要に応じ袋本体にも物品名を表示したことを特徴とする収納物表示袋が提供され、
【０００７】
更に、前記フラップが前記袋本体上部及び底部に形成されたことを特徴とする前記収納物表示袋が提供され、
【０００８】
更に、袋に収納される物品がゴミであり、物品名として分別ゴミ名を表示したことを特徴とする前記収納物表示袋が提供され、
【０００９】
更に、前記連続筒状フィルムが合成樹脂フィルムからなることを特徴とする前記収納物表示袋が提供され、
【００１０】
更に、前記袋が両側にマチ部が形成された袋であることを特徴とする前記収納物表示袋が提供される。
【考案の効果】
【００１１】
本考案に係る収納物表示袋は、袋本体から切り離し可能に形成されたフラップに物品名が表示されており（図１参照）、袋に物品を入れる際に、該物品と異なる物品名が表示されたフラップは除去し、該物品と一致する物品名が表示されたフラップを残し、残されたフラップによって収納物を示すことが可能となる。
【００１２】
また本考案に係る収納物表示袋は使用方法を取り決めることによって、フラップへの表示、及び必要に応じて袋本体への表示をすることにより、それらの組み合わせで収納物を示すことが可能である。
例えばフラップ、及び袋本体に物品名が表示されている袋（図３、図４参照）の場合、フラップに表示されていない物品であっても、袋本体に表示された物品であれば袋に収納することができる。これらの袋にフラップに表示されていない物品を収納する場合、全てのフラップを除去すると、袋本体に表示された物品名によって収納物を示すことが可能となる。
また、物品名がフラップに一つしか表示されていない袋（図６参照）の場合、あらかじめ取り決めを行っておけば、フラップに表示されていない物品にも使用でき、フラップを除去し、「フラップが除去されている」ということによって他の収納物であることを示すことができる。
【００１３】
更に本考案の収納物表示袋は、連続筒状フィルムを扁平にして移送しつつ所定の間隔でシールし、該連続筒状フィルムをシール部で切断すると共に中央部を切り欠くことにより得られる袋であって、特異な形状をしておらず、従来から袋の製造に用いられてきた製造ラインを大きく変更することなく製造することができる。
また、フラップが袋本体上部及び底部に形成されていると、一つの収納物表示袋に多数のフラップを設けることが可能となり、多くの種類の物品の収納に対応することができる。尚、持ち手や袋本体上部のフラップとなる部分を成形するために切り欠く中央部を、完全に切り取ってしまわずに、そのまま隣接する袋の底部に繋げ底部のフラップとして利用することもできる。
【００１４】
更に、一度取り除いたフラップを再度取り付けることは不自然であるので、本考案の収納物表示袋は一度だけ使われる、いわゆる「使い捨て」として使用されることが好ましく、収納物品がゴミの場合特に好適に用いることができる。この場合、物品名として分別ゴミ名を表示するとよい。
更にまた、本発明の収納物表示袋は合成樹脂フィルムから作られていると、製造が容易で安価である。
更にまた、本発明の収納物表示袋が袋の両側にマチ部が形成された、いわゆる「ガゼット袋」の形状をしていると、袋の持ち手部分が二重になり、ゴミ袋としての使い勝手が向上する。
【考案を実施するための最良の形態】
【００１５】
以下、添付図面を参照しつつ本考案の最良の形態を説明するが、本考案の収納物表示袋は収納される物品がゴミであり、物品名として分別ゴミ名を表示したゴミ袋として特に好適に用いることができるので、本考案をゴミ袋に適用した例について説明する。
【００１６】
本考案によるゴミ袋は、連続筒状フィルムを扁平にして移送しつつ所定の間隔でシールし、該連続筒状フィルムをシール部で切断すると共に中央部を切り欠くことにより、袋本体の一端両側に手提げ用の持ち手及び袋本体と一体的に複数のフラップが形成された袋である。詳しくは、図１に示すように、連続筒状フィルム１０を扁平にして移送しつつ所定の間隔でシールして、袋の持ち手３の上部となる部分と袋の底部４となる部分を成形し、更に該連続筒状フィルム１０をこれらのシール部に沿って切断すると共に中央部６を切り欠くことにより、袋本体１ａの一端両側に手提げ用の持ち手３を成形しながら、袋本体と一体的に複数のフラップ２を成形して得られる。
【００１７】
尚、図１に示すように、連続筒状フィルム１０を扁平にするときに該筒状フィルム１０の両側にマチ部を形成しておくと、得られるゴミ袋は両サイドにマチ部が形成された、いわゆる「ガゼット袋」の形状になる。この場合は、連続筒状フィルムをシール部で切断すると共に中央部を切り欠くことで持ち手を成形することができるが、連続筒状フィルム１０の両側にマチ部を形成しない場合は、持ち手を形成するために中央部だけでなく、持ち手の外側となる部分も切り欠いておく必要がある。また、袋のフラップ２や持ち手３を成形する為に切り取る中央部６を完全に切り落としてしまわず、連続して成形される袋の底部４に繋がった状態にしておくと、中央部６もフラップとして利用することができる。
【００１８】
また本考案によるゴミ袋は、フラップ２を袋本体１ａから切り離し可能にする。図２（Ａ）は、本考案の最良の形態を表す斜視図、図２（Ａ）に示すゴミ袋１のフラップ２ｂの背面図（Ｂ）であるが、いずれのフラップも一端に切り離し手段５が設けられており、ゴミを収納する際に不用なフラップを除去することができる。この切り離し手段は特に限定されず、例えば切り離したい部分の側部にノッチなどの切り込みを入れたり、切り離したい部分のフィルムの厚みを薄くしたりすること等によって得られるが、簡単、且つ確実に切り離すために、図２に示すように、パーフォレーション加工を行うことが好ましい。
【００１９】
更にまた本考案のゴミ袋は、フラップに物品名を表示している。物品名を表示する方法は、袋に携わる人が何を表示しているのか理解できる方法であれば特に限定されず、例えば物品の名称を印刷したり、物品を示す記号や図柄を印刷したり、物品をイメージする色に着色したりする方法などがあるが、物品の名称を印刷する方法が簡単で、尚且つ収納物をより確実に示すことができる。図２に示す袋１はフラップ２ａに「可燃ゴミ」という分別ゴミ名が印刷されており、フラップ２ｂに「不燃ゴミ」という印刷が施されている。
【００２０】
また本考案によると、必要に応じ袋本体にも物品名が表示される。図３、図４は、共に本考案の別の実施形態を示す斜視図である。これらの袋は、一つのフラップ１２、２２に「不燃ゴミ」という印刷が施されると共に、袋本体１１ａ、２１ａにも「可燃ゴミ」或いは、「可燃ゴミ・不燃ゴミ」という分別ゴミ名が印刷されている。
【００２１】
次に図２、図３、図４のゴミ袋を用いて収納物を示す方法について説明する。
図２に示すゴミ袋１は、収納し得る分別ゴミ名が全てフラップに表示されたゴミ袋である。このゴミ袋は、袋に残されたフラップ２の分別ゴミ名が収納物を示す。図２に示すゴミ袋１の使用状態を図５に示す。図５（Ａ）は袋に可燃ゴミを収納した場合で、「不燃ゴミ」と印刷されたフラップ２ｂは取り除かれ、「可燃ゴミ」と印刷されたフラップ２ａのみが袋に残されている。一方、図５（Ｂ）は袋に不燃ゴミを収納した場合で、フラップ２ａは取り除かれ、「不燃ゴミ」と印刷されたフラップ２ｂのみが残されている。そして、いずれの場合も、袋に残されたフラップによって収納物が示される。
【００２２】
図３に示すゴミ袋１１、及び図４に示すゴミ袋２１はいずれも袋本体にも分別ゴミ名が表示されたゴミ袋である。これらのゴミ袋も、袋にフラップが残されている場合は、残されたフラップによって収納物が表示される。また、袋にフラップが残されていない場合は、袋本体の表示によって収納物が表示される。
例えば、図３に示すゴミ袋１１に
（１）不燃ゴミを収納する場合
「不燃ゴミ」と印刷されたフラップ１２は収納物と一致するので除去せず、該フラップ１２によって収納物を示す。尚、この場合ゴミ袋１１には「不燃ゴミ」と「可燃ゴミ」という二つの分別ゴミ名が残されているので、いずれの分別ゴミ名が収納物を示すのか混乱する恐れがある。そこで、あらかじめゴミ収集を行う自治体等で「フラップ１２と袋本体１１ａに異なる分別ゴミ名が残されている場合は、フラップ１２の分別ゴミ名が優先して収納物を示す」といった取り決めを周知する必要ある。
（２）可燃ゴミを収納する場合
収納物と一致しない「不燃ゴミ」と印刷されたフラップ１２を除去する。すると袋１１には袋本体１１ａの「可燃ゴミ」という分別ゴミ名のみが残され、収納物を示す。
【００２３】
図４に示すゴミ袋２１は、袋本体２１ａに複数の物品名「可燃ゴミ・不燃ゴミ」が列記されている。このように袋本体２１ａの目立つ部分に、該袋２１に収納しうる物品名を列記しておくと、袋の使用者が袋２１に収納しうる物品を一目で理解できる。図４に示すゴミ袋２１に
（１）不燃ゴミを収納する場合
図３に示すゴミ袋と同様フラップ２２は取り除かずに使用し、該フラップによって収納物を示す。この場合もゴミ収集を行う自治体等で「フラップ２２と袋本体２１ａに異なる分別ゴミ名が残されている場合は、フラップ２２の分別ゴミ名が優先して収納物を示す」といった取り決めを周知する必要ある。
（２）可燃ゴミを収納する場合
収納されたゴミと一致しないフラップ２２を取り除く。すると袋には、袋本体２１ａに印刷された二つの分別ゴミ名が残される。この場合、袋本体２１ａのいずれの分別ゴミ名が収納物を表示しているか混乱する恐れがある。そこであらかじめ「袋本体２１ａに複数の分別ゴミ名が印刷されている場合は、一番目の分別ゴミ名が収納物を表す」とか、「最も大きく書かれている分別ゴミ名が収納物を表す。」といった取り決めを周知する必要がある。
【００２４】
次に図６のゴミ袋３１に基づいて説明する。図６（Ａ）は本考案の別の実施形態に係るゴミ袋３１を表す斜視図であり、図６（Ｂ）は図６（Ａ）に示すゴミ袋３１のフラップ３２ｂ部分の背面図（Ｂ）である。このゴミ袋３１にはフラップ３２ａに「可燃ゴミ」という物品名が印刷され、フラップ３２ｂには何も印刷されていない。該ゴミ袋３１が可燃ゴミを収納する場合、フラップ３２ａを切り取らずに使用し収納物を示す。また、可燃ゴミ以外を収納する場合、該フラップ３２ａを切り取って使用するのであるが、この場合どのような種類のゴミを収納するかは、あらかじめ取り決めを行って周知しておく。
【００２５】
次に図７のゴミ袋４１に基づいて説明する。図７は、本考案の別の実施形態に係るゴミ袋４１を表す斜視図であり、該ゴミ袋１は二組（四つ）のフラップが形成されており、そのうちの一つのフラップ４２ａに「可燃ゴミ」という表示が、別のフラップ４２ｂに「不燃ゴミ」という表示が行われている。該ゴミ袋４１は二組のフラップを形成する必要があるが、片面のみの印刷で製造することができる。また、四つのフラップ全てに異なる分別ゴミ名を印刷すると、四種類のゴミの収納に応じることができる。
【００２６】
次に図８に基づいて説明する。図８に示すゴミ袋５１は、袋のフラップ５２や持ち手５３を成形する際に切り取られる中央部を、連続する袋の底部と繋がった状態にして成形したゴミ袋５１であって、本考案の別の実施形態である。図８に示すゴミ袋５１は、袋本体５１ａに「可燃・不燃・資源ゴミ」と印刷されており、一つのフラップ５２ａに可燃ゴミを表す「可」が、他方のフラップ５２ｂに不燃ゴミを表す「不」が、更にフラップ５２ｃに資源ゴミを表す「資」が印刷されている。該ゴミ袋５１も収納物と異なる分別ゴミ名のフラップを取り除いて使用し、袋に残されたフラップによって収納物を示す。以上、本考案を実施するための最良の形態、及び別の実施形態について、ゴミ袋を例示して説明したが、本考案はゴミ袋に限定されるものではなく、特に使い捨て用の袋であって、他の物品の収納袋に適用できることは言うまでもない。
【産業上の利用可能性】
【００２７】
本考案に係る収納物表示袋は、袋を開くことなく収納物をすばやく認識できることが望まれる袋に好適に用いることができる。特に、繰り返し使用することのないゴミ袋等に好適に用いることができる。
【図面の簡単な説明】
【００２８】
【図１】本考案のゴミ袋を連続して製造する方法を表す説明図である。
【図２】本考案の一実施形態に係るゴミ袋を示す斜視図（Ａ）、及びフラップ２ｂ部分の背面図である。
【図３】本考案の実施形態を表す正面図である。
【図４】本考案の実施形態を表す正面図である。
【図５】図１に示したゴミ袋の使用状態を示す斜視図（Ａ）（Ｂ）である。
【図６】本考案の別の実施形態を表す斜視図（Ａ）、及びフラップ３２ｂ部分の背面図である。
【図７】本考案の他の実施形態を表す斜視図である。
【図８】本考案の他の実施形態を表す正面図である。
【符号の説明】
【００２９】
１、１１、２１、３１、４１、５１              ゴミ袋
１ａ、１１ａ、３１ａ、２１ａ、４１ａ、５１ａ  袋本体
２、１２、２２、３１、４２、５２              フラップ
３、１３、２３、３３、３４、３５              持ち手
４、１４、２４、３４、４４、５４              底部
５、１５、２５、３５、４５、５５              切り離し手段
６                                            中央部
１０                                          連続筒状フィルム
【図１】
0003135268.tif 000003
【図２】
0003135268.tif 000004
【図３】
0003135268.tif 000005
【図４】
0003135268.tif 000006
【図５】
0003135268.tif 000007
【図６】
0003135268.tif 000008
【図７】
0003135268.tif 000009
【図８】
0003135268.tif 000010